(57)【特許請求の範囲】
【請求項１】
供用中の老朽下水管の上半部を単数の新管が入る長さだけ撤去し、該撤去部分から老朽管内に前記新管挿入用油圧ジャッキを設置し、次いで老朽管内に配設される更新管路の勾配に合致するよう老朽管路の内面頂部と新管外面頂部との間隔を保つスぺーサーを取り付けた新管を前記撤去部分から前記老朽管内に搬入し順次前記油圧ジャッキで接続しつつ前記老朽管内に送り込み、全新管を接続送入後、更正新管路内に該新管路全長より長い管状浮体を挿通すると共に前記老朽下水管路の下流側で下水流を抑制して溢水させ、前記浮体の浮力により新管路を浮上させて老朽管の内面頂部に前記スペーサを介して当接させ、その状態のまま新管の両端外面と老朽管内面との間をシールしてその間の空間にグラウトを注入硬化させることを特徴とする供用中の下水管路の更正方法。
【発明の詳細な説明】
【０００１】
【発明の属する技術分野】
この発明は供用中の下水管路の更正方法に関し、詳しくは老朽下水管をそのままにして管内に新規管を敷設する下水管路の更正方法の改良に関する。
【０００２】
【従来の技術】
老朽下水管路を更正する場合、老朽下水管をそのままにして管内に新規管を敷設する、いわゆるパイプインパイプ工法が知られている。
【０００３】
上記工法は老朽下水管を撤去しないので掘削工事が不要となり、工事の規模が非常に小さくできる利点を有する。
また老朽管路が更正管路のシールドトンネルの機能を果たすので更正管路の耐用強度上も好都合となるなどの利点を有する。
【０００４】
【発明が解決しようとする課題】
しかしながら、上記老朽管路を更新する場合、新設管の搬入、接続及びグラウトによる固定の工程が終了するまで下水流をバイパスさせるなどして施工現場から排除する必要があり、そのための付帯工事が大掛かりとなる問題があった。
【０００５】
特に、幹線下水路の場合は、管内の流量も大きく、バイパス管の敷設もそれだけ大掛かりとなり、パイプインパイプ工法の利点も半減するといった問題があった。
【０００６】
この発明は上記問題を解消することを目的としてなされたものであり、幹線下水管路であってもバイパス管等を設けることなく、しかも下水を流下させたまま下水管路を更正する方法を提供することを目的としてなされたものである。
【０００７】
【課題を解決するための手段】
この発明の供用中の下水管路の更正方法は、供用中の老朽下水管の上半部を単数の新管が入る長さだけ撤去し、該撤去部分から老朽管内に前記新管挿入用油圧ジャッキを設置し、次いで老朽管内に配設される更新管路の勾配に合致するよう老朽管路の内面頂部と新管外面頂部との間隔を保つスぺーサーを取り付けた新管を前記撤去部分から前記老朽管内に搬入し順次前記油圧ジャッキで接続しつつ前記老朽管内に送り込み、全新管を接続送入後、更正新管路内に該新管路全長より長い管状浮体を挿通すると共に前記老朽下水管路の下流側で下水流を抑制して溢水させ、前記浮体の浮力により新管路を浮上させて老朽管の内面頂部に前記スペーサを介して当接させ、その状態のまま新管の両端外面と老朽管内面との間をシールしてその間の空間にグラウトを注入硬化させることを特徴とするものである。
【０００８】
【発明の実施の形態】
次にこの発明の実施の形態を説明する。
図１〜図７はこの発明の方法の実施の形態を示す断面図である。
【０００９】
図１において１は供用中の老朽下水管を示し、内部には下水Ｗが流れている。この老朽下水管１を更正するに際しまず図１に示すように、老朽管１の上半部１Ａを単数の新管２が入る長さだけ撤去する。
【００１０】
なお、この撤去部分１Ａは後述する油圧ジャッキ３の設置及び駆動時の反力確保のためマンホール１Ｂに隣り合う老朽管の上半部とすることが望ましい。
次いで、該撤去部分から老朽管１内に前記新管２の挿入用油圧ジャッキ３を設置する。なお前述のようにマンホール１Ｂに隣り合う老朽管１の上半部を撤去した場合は図２に示すようにマンホール１Ｂ内壁などに支持させて設置する。
【００１１】
なお、図２中３Ａはジャッキ基板、３Ｂはジャッキ基板３Ａをマンホール内壁に支える脚部を示す。
次いで、図３に示すように老朽管１内に新管２を送入する。
【００１２】
この新管２は老朽管１内に配設される更新管路２Ａの勾配Ｓ（図５）に合致するよう老朽管路１の内面頂部と新管２外面頂部との間隔を保つスぺーサー４…４が予め取り付けられており、この新管２を前記撤去部分１Ａから前記老朽管１内に挿入し順次前記油圧ジャッキ３で接続しつつ老朽管１内に送り込む。
【００１３】
図４に示すように、全新管２…２を接続送入後、更正管路２Ａ内に該更正管路２Ａ全長より長い管状浮体５を挿通し膨張させる。
次いで、図５に示すように老朽下水管の撤去部分１Ａを塞ぎ、前記下水管路１の下流側で下水Ｗを邪魔板６等で抑制して老朽下水管１内に下水を溢水させ、前記浮体５の浮力により新管２…２を老朽管１の内面頂部に当接するまで浮上させる。
【００１４】
この時、各新管２…２は、上面のスペーサ４…４により老朽管２内で所定の勾配Ｓに配列される。そして、その状態のまま新管２の両端外面と老朽管１内面との間を閉塞用バッグ７等でシールする。
【００１５】
また、下水Ｗは邪魔板６等で抑制されているだけで塞き止められているわけではないため、下水Ｗは新管２…２を通じて流れ続ける。
次いで図６に示すように、地表面より開設した注入口８より老朽管１内面と新管２外面の間の空間に高比重エアーモルタルなどからなるグラウト９を注入する。
【００１６】
注入空間に充満していた下水Ｗは更正管路２Ａの両端に設けたグラウト充填確認管１０…１０から排出され、順次グラウトと置換する。
グラウト９の充填完了は、すべての充填確認管１０…１０からのグラウト漏出により確認し、確認後はすべての充填確認管１０…１０及び注入口８を封鎖してグラウト９を硬化させる。
【００１７】
グラウト９の硬化後は、図７に示すように浮体５、邪魔板６を撤去し水位をもとに戻す。
以上により下水流を完全にせき止めることなく新管２で管路更正を完了するのである。
【００１８】
【発明の効果】
以上説明したようにこの発明の方法によれば、老朽下水管をパイプインパイプ工法で更正する場合、下水流を止めることなく施工が可能となり、施工規模が非常に小さくなる。
【００１９】
また、送入された新管を所定の勾配に持ち上げ配置する際、下水中の浮体の浮力を利用するのでジャッキやクレーン等の機器類が全く不要となり、施工も非常に容易かつ安価に実施可能となる。
【図面の簡単な説明】
【図１】この発明の方法の開始工程を示す断面図である。
【図２】挿入用油圧ジャッキの取り付け状態を示す平面図である。
【図３】新管搬入工程を示す断面図である。
【図４】新管配置工程を示す断面図である。
【図５】新管勾配付け工程を示す断面図である。
【図６】グラウト注入工程を示す断面図である。
【図７】完成状態を示す断面図である。
【符号の説明】
１  供用中の老朽下水管
１Ａ  老朽管の上半部
１Ｂ  マンホール
２  新管
２Ａ  更新管路
３  新管の挿入用油圧ジャッキ
３Ａ  ジャッキ基板
３Ｂ  ジャッキ基板をマンホール内壁に支える脚部
４  スぺーサー
５  管状浮体
６  邪魔板
７  閉塞用バッグ
８  注入口
９  グラウト
１０  グラウト充填確認管
Ｓ  勾配
Ｗ  下水
【図１】
0003547298.tif 000002
【図２】
0003547298.tif 000003
【図３】
0003547298.tif 000004
【図４】
0003547298.tif 000005
【図５】
0003547298.tif 000006
【図６】
0003547298.tif 000007
【図７】
0003547298.tif 000008